(57)【要約】  光学ビュー・ファインダと電子ビュー・ファインダとを切り換えるときに違和感が生じないようにする。  電子ビュー・ファインダの機能が設定されるときには液晶表示装置65の表示画面に，固体電子撮像素子34によって撮像された被写体像が表示され，ビュー・ファインダ・シャッタ62が閉じられる。光学ビュー・ファインダの機能が設定されるときにはビュー・ファインダ・シャッタ62が開かれ，液晶表示装置65には被写体像は表示されない。電子ビュー・ファインダの機能と光学ビュー・ファインダの機能との切換時においては，ビュー・ファインダ・シャッタ62の開閉に追随して液晶表示装置65に表示されている被写体像を徐々消去する，あるいは液晶表示装置65に被写体像を徐々に表示する。切換時に急に暗くなったり，明るくなったりすることが未然に防止される。
2014002657.tif 000002
【特許請求の範囲】
【請求項１】
カメラの前面に形成され，被写体に向く対物窓および上記対物窓を通して見える被写体を覗く接眼窓を備えたファインダ装置，
被写体を撮像し，被写体像を表わす画像データを出力する固体電子撮像装置，
上記固体電子撮像装置から出力された画像データによって表わされる被写体像を表示画面に表示する表示装置，
上記対物窓と上記接眼窓との間に設けられ，上記表示装置の上記表示画面に表示されている被写体像を上記接眼窓に導く偏向装置，
上記偏向装置よりも被写体側に設けられ，上記対物窓からの入射光を遮光するファインダ・シャッタ，ならびに
上記ファインダ・シャッタが開放されるときに上記ファインダ・シャッタに追従して徐々に被写体像を表示画面に表示し，上記ファインダ・シャッタが閉じられるときに上記ファインダ・シャッタに追従して表示画面に表示されている被写体像を徐々に消去するように上記表示装置を制御する表示制御手段，
を備えたカメラ。
【請求項２】
上記表示制御手段は，
上記ファインダ・シャッタが開放されるときに上記ファインダ・シャッタの開放速度と同じ速度で徐々に被写体像を表示画面に表示し，上記ファインダ・シャッタが閉じられるときに上記ファインダ・シャッタが閉じられる速度と同じ速度で徐々に被写体像を表示画面から消去するように上記表示装置を制御するものである，
請求項１に記載のカメラ。
【請求項３】
上記表示制御手段は，
上記ファインダ・シャッタの開放と同期して徐々に被写体像を表示画面に表示し，上記ファインダ・シャッタが閉じられることに同期して徐々に被写体像を表示画面から消去するように上記表示装置を制御するものである，
請求項１または２に記載のカメラ。
【請求項４】
カメラの前面に形成され，被写体に向く対物窓および上記対物窓を通して見える被写体を覗く接眼窓を備えたファインダ装置を備えたカメラの動作制御方法において，
固体電子撮像装置が，被写体を撮像し，被写体像を表わす画像データを出力し，
表示装置が，上記固体電子撮像装置から出力された画像データによって表わされる被写体像を表示画面に表示し，
偏向装置が，上記対物窓と上記接眼窓との間に設けられ，上記表示装置の上記表示画面に表示されている被写体像を上記接眼窓に導き，
上記偏向装置よりも被写体側に設けられているファインダ・シャッタが，上記対物窓からの入射光を遮光し，
表示制御手段が，上記ファインダ・シャッタが開放されるときに上記ファインダ・シャッタに追従して徐々に被写体像を表示画面に表示し，上記ファインダ・シャッタが閉じられるときに上記ファインダ・シャッタに追従して表示画面に表示されている被写体像を徐々に消去するように上記表示装置を制御する，
カメラの動作制御方法。
【発明の詳細な説明】
【技術分野】
【０００１】
この発明は，カメラおよびその動作制御方法に関する。
【背景技術】
【０００２】
光学ビュー・ファインダと電子ビュー・ファインダとを切り換えることのできる，光学式電子式兼用ビュー・ファインダがある。光学式電子式兼用ビュー・ファインダが光学ビュー・ファインダとして機能する場合には，ユーザが接眼窓から被写体を覗くと，カメラの前方に形成されている対物窓を介して光学的な被写体像を見ることができる。光学式電子式兼用ビュー・ファインダが電子ビュー・ファインダとして機能する場合には，撮像により得られた被写体像が液晶パネルに表示され，その被写体像がハーフ・ミラー，プリズムなどの偏向装置によって接眼窓に導かれる。接眼窓を覗いているユーザは液晶パネルに表示されている被写体像を見ることとなる（特許文献１）。【０００３】
光学式電子式兼用ビュー・ファインダでは，偏向装置と対物窓との間にファインダ・シャッタが設けられている。光学ビュー・ファインダから電子ビュー・ファインダに切り換えられる場合には，ファインダ・シャッタが閉じられる。これにより接眼窓を覗いているユーザの目には対物窓を介して被写体を見ることはできず，液晶パネルに表示されている被写体像を見ることとなる。逆に電子ビュー・ファインダから光学ビュー・ファインダに切り換える場合には，ファインダ・シャッタが開かれ，液晶パネルに表示されていた被写体像は消去される。【０００４】
上述した光学式電子式兼用ビュー・ファインダ以外にもデジタル一眼レフカメラにおいて光学ファインダーの光学系の一部を共有し撮像手段で撮像された電子画像を観察可能な電子ビューファインダーをもつもの（特許文献２），一眼レフカメラにおいて光学ファインダからの被写体の観察と背面パネルに被写体像を表示して被写体の観察とを切り替えるもの（特許文献３）などもある。
【先行技術文献】
【特許文献】
【０００５】
【特許文献１】特開2012-63722号公報
【特許文献２】特開2008-60811号公報
【特許文献３】特開2008-170872号公報
【発明の概要】
【発明が解決しようとする課題】
【０００６】
光学式電子式兼用ビュー・ファインダにおいて，光学ビュー・ファインダから電子ビュー・ファインダに切り替わる場合に，ファインダ・シャッタが突然閉じると，ファインダ内が突然暗くなる。また，電子ビュー・ファインダから光学ビュー・ファインダに切り替わる場合に，ファインダ・シャッタが突然開くと，ファインダ内が急に明るくなる。また，電子ビュー・ファインダの画像と光学ビュー・ファインダの画像とを重ねて表示すると，二重画像となるためにユーザはまぶしく感じてしまう。二重画像から電子ビュー・ファインダの画像または光学ビュー・ファインダの画像に変わると，まぶしい画像から相対的に暗い画像になるのでユーザにとってはちらつきが起こる。いずれにしても接眼窓を覗いていたユーザは違和感を覚えてしまう。【０００７】
この発明は，光学ビュー・ファインダと電子ビュー・ファインダとを切り換えるときに違和感が生じないようにすることを目的とする。
【課題を解決するための手段】
【０００８】
この発明によるカメラは，カメラの前面に形成され，被写体に向く対物窓および対物窓を通して見える被写体を覗く接眼窓を備えたファインダ装置，被写体を撮像し，被写体像を表わす画像データを出力する固体電子撮像装置，固体電子撮像装置から出力された画像データによって表わされる被写体像を表示画面に表示する表示装置，対物窓と接眼窓との間に設けられ，表示装置の表示画面に表示されている被写体像を接眼窓に導く偏向装置，偏向装置よりも被写体側に設けられ，対物窓からの入射光を遮光するファインダ・シャッタ，ならびにファインダ・シャッタが開放されるときにファインダ・シャッタに追従して徐々に被写体像を表示画面に表示し，ファインダ・シャッタが閉じられるときにファインダ・シャッタに追従して表示画面に表示されている被写体像を徐々に消去するように表示装置を制御する表示制御手段を備えていることを特徴とする。【０００９】
この発明は，カメラに適した動作制御方法も提供している。すなわち，この方法は，カメラの前面に形成され，被写体に向く対物窓および対物窓を通して見える被写体を覗く接眼窓を備えたファインダ装置を備えたカメラの動作制御方法において，固体電子撮像装置が，被写体を撮像し，被写体像を表わす画像データを出力し，表示装置が，固体電子撮像装置から出力された画像データによって表わされる被写体像を表示画面に表示し，偏向装置が，対物窓と接眼窓との間に設けられ，表示装置の表示画面に表示されている被写体像を接眼窓に導き，偏向装置よりも被写体側に設けられているファインダ・シャッタが，対物窓からの入射光を遮光し，表示制御手段が，ファインダ・シャッタが開放されるときにファインダ・シャッタに追従して徐々に被写体像を表示画面に表示し，ファインダ・シャッタが閉じられるときにファインダ・シャッタに追従して表示画面に表示されている被写体像を徐々に消去するように表示装置を制御するものである。【００１０】
この発明によると，ファインダ・シャッタが開放されるときは，ファインダ・シャッタに追従して徐々に被写体像が表示画面に表示される。また，ファインダ・シャッタが閉じられるときは，ファインダ・シャッタに追従して表示画面に表示されている被写体像が徐々に表示画面から消去される。ファインダ・シャッタの開閉に追従して表示画面に表示されている被写体像が徐々に消去される，あるいは被写体像が表示画面に徐々に表示されるので，ファインダ内が急に暗くなったり，明るくなったりすることが未然に防止される。接眼窓を覗いているユーザに違和感を与えてしまうことを未然に防止できる。【００１１】
表示制御手段は，たとえば，ファインダ・シャッタが開放されるときにファインダ・シャッタの開放速度と同じ速度で徐々に被写体像を表示画面に表示し，ファインダ・シャッタが閉じられるときにファインダ・シャッタが閉じられる速度と同じ速度で徐々に被写体像を表示画面から消去するように表示装置を制御するものである。【００１２】
表示制御手段は，たとえば，ファインダ・シャッタの開放と同期して徐々に被写体像を表示画面に表示し，ファインダ・シャッタが閉じられることに同期して徐々に被写体像を表示画面から消去するように表示装置を制御するものでもよい。
【図面の簡単な説明】
【００１３】
【図１】ディジタル・カメラの正面図である。
【図２】ディジタル・カメラの背面図である。
【図３】ディジタル・カメラを背面から見た斜視図である。
【図４】ディジタル・カメラの電気的構成を示すブロック図である。
【図５】光学的な被写体像の一例および液晶表示装置に表示される情報の一例である。
【図６】光学ビュー・ファインダの機能が設定されたときにユーザが見る画像である。
【図７】電子ビュー・ファインダの機能が設定されたときにユーザが見る画像である。
【図８】光学ビュー・ファインダの機能から電子ビュー・ファインダ機能に切り換えられたときのタイム・チャートである。
【図９】シャッタが閉じられているときの光学的な被写体像の一例である。
【図１０】シャッタが閉じられているときに液晶表示装置に表示される被写体像の一例である。
【図１１】シャッタが閉じられているときにファインダ装置の接眼窓から見ることのできる画像の一例である。
【図１２】電子ビュー・ファインダの機能から光学ビュー・ファインダの機能に切り換えられたときのタイム・チャートである。
【図１３】光学ビュー・ファインダの機能と電子ビュー・ファインダの機能との切換処理手順を示すフローチャートである。
【発明を実施するための形態】
【００１４】
図１から図３は，この発明の実施例を示すもので，ディジタル・カメラ１の外観を示している。図１は正面図，図２は背面図，図３は背面から見た斜視図である。
【００１５】
図１を参照して，ディジタル・カメラ１の正面のほぼ中心に前方に突出したレンズ鏡筒２が設けられている。ディジタル・カメラ１の右上には，ファインダ装置を構成し，被写体に向く対物窓３が形成されている。この対物窓３の左側にはストロボ発光装置４が設けられている。この実施例のファインダ装置は，詳しくは後述するように光学ファインダの機能と電子ビュー・ファインダの機能とを切り換えることができる。このために，ストロボ発光装置４の左側には，光学ビュー・ファインダの機能と電子ビュー・ファインダの機能とを切り換えるための切替レバー19が設けられている。正面から見て切替レバー19が左側に倒されるとファインダ装置は光学ビュー・ファインダの機能が設定され，正面から見て切替レバー19が右側に倒されるとファインダ装置は電子ビュー・ファインダの機能が設定される。
【００１６】
ディジタル・カメラ１の上面において正面から見て左側には，シャッタ・スピード・ダイアル６，電源レバー７，シャッタ・レリーズ・ボタン８および露出ダイアル９が設けられている。シャッタ・スピード・ダイアル６は，回転自在な円形つまみである。ユーザは，シャッタ・スピード・ダイアル６を回転させることにより，所望のシャッタ・スピードを設定できる。電源レバー７は，正面から見て右および左に所定角度動かすことができる。ユーザは，電源レバー７を所定角度動かすことにより，ディジタル・カメラ１の電源をオン，オフできる。電源レバー７は上面から見て（図３参照），内部が空間の円環上のものであり，その空間にシャッタ・レリーズ・ボタン８が設けられている。露出ダイアル９も，回転自在な円形つまみである。ユーザは，露出ダイアル９を回転させることにより，露出を補正できる。
【００１７】
図２および図３を参照して，ディジタル・カメラ１の背面のほぼ全体に渡って液晶表示装置12が設けられている。ディジタル・カメラ１の背面の左上にはファインダ装置を構成する接眼窓11が形成されている。ディジタル・カメラ１の背面の右上には，左右に動かすことができるコマンド・レバー10が設けられている。ユーザは，コマンド・レバー10を操作することにより，マニアル露出時の１／３ＥＶステップでの絞り調整などの指令をディジタル・カメラ１に与えることができる。
【００１８】
コマンド・レバー10の下には，ＡＦ（自動焦点調節）／ＡＥ（自動露出）ロック・ボタン13，コマンド・ダイアル14，メニュー／ＯＫボタン15，バック・ボタン16，RAWボタン17などが設けられている。
【００１９】
主として図３を参照して，上述したように，ディジタル・カメラ１の上面の右側（背面から見て右側）には，シャッタ・スピード・ダイアル６，電源レバー７，シャッタ・レリーズ・ボタン８および露出ダイアル９が設けられている。上述したように，電源レバー７は，正面方向に突出した突起７Ａが形成されている。突起７Ａがつままれて左右に動かされることによりディジタル・カメラ１の電源のオン，オフができる。
【００２０】
ファインダ装置の接眼窓11に目を近づけて接眼窓11から覗くことにより，対物窓３および接眼窓11を介して被写体を見ることができ，カメラ・アングルを決定できる。
【００２１】
図４は，ディジタル・カメラ１の電気的構成を示すブロック図である。
【００２２】
ディジタル・カメラ１の全体の動作は，ＣＰＵ20によって統括される。
【００２３】
上述したように，ディジタル・カメラ１には，シャッタ・スピード・ダイアル６，電源レバー７，露出ダイアル９，切替レバー19などの操作スイッチ類23が設けられている。操作スイッチ類23からの操作信号は，ＣＰＵ20に入力する。また，電源レバー７による電源のオン，オフを示す信号もＣＰＵ20に入力する。また，撮影モードと再生モードの切り替えスイッチ21からの切替信号もＣＰＵ20に入力する。
【００２４】
ディジタル・カメラ１には，固体電子撮像素子34が含まれている。この固体電子撮像素子34の前方には，ズーム・レンズ31，絞り32およびフォーカス・レンズ33が設けられている。ズーム・レンズ31はモータ・ドライバ37によってズーム量が制御され，絞り32はモータ・ドライバ38によって絞り値が制御され，フォーカス・レンズ33はモータ・ドライバ39によってフォーカス位置が制御される。
【００２５】
固体電子撮像素子34の受光面上に被写体像が結像すると，タイミング・ジェネレータ40によって固体電子撮像素子34が制御され，被写体像を表わす映像信号が固体電子撮像素子34から出力する。固体電子撮像素子34から出力された映像信号は，ＣＤＳ（相関二重サンプリング）増幅回路35において相関二重サンプリングが行われる。ＣＤＳ増幅回路35から出力された映像信号は，アナログ／ディジタル変換回路36においてディジタル画像データに変換される。
【００２６】
ディジタル画像データは，画像入力コントローラ41を介してＡＦ（自動焦点調節）検出回路46に入力する。入力したディジタル画像データにもとづいて，合焦制御信号が生成され，生成された合焦制御信号がＣＰＵ20に入力する。この合焦制御信号にもとづいて，モータ・ドライバ39が制御され，フォーカス・レンズ33が位置決めされる。ＡＦ検出回路46において，後述するＡＦターゲット枠94によって特定される主要被写体までの距離も算出される。必要であれば主要被写体までの距離を測定する測距装置がディジタル・カメラ１に設けられよう。また，画像入力コントローラ41から出力したディジタル画像データは，ＡＥ（自動露光）／ＡＷＢ（自動白バランス）検出回路47にも入力する。ＡＥ／ＡＷＢ検出回路47において露光制御信号および白バランス調整信号が生成される。生成された露光制御信号は，ＣＰＵ20に入力する。この露光制御信号にもとづいて，モータ・ドライバ38が制御され，絞り32の絞り値が制御される。また，ＡＥ／ＡＷＢ検出回路47において生成された白バランス調整信号は，画像信号処理回路42に入力する。画像入力コントローラ41から出力された画像データも，画像信号処理回路42にも入力する。画像信号処理回路42において，白バランス調整信号にもとづいて，画像データの白バランス調整が行われる。
【００２７】
画像信号処理回路42から出力された画像データは，ビデオ・エンコーダ44を介して液晶表示装置11に与えられる。液晶表示装置11の表示画面に撮像された被写体像が表示される。
【００２８】
上述したように，ディジタル・カメラには，ファインダ装置60が含まれている。
【００２９】
ファインダ装置60には，接眼窓11の前方に接眼レンズ66が設けられており，この接眼レンズ66の前方にはハーフミラー64が形成されているプリズム63が設けられている。ハーフミラー64は，光学ビュー・ファインダ60の光軸Ｃ３に対して45度の入射角となるように形成されている。このプリズム63の前方にビュー・ファインダ・シャッタ（機械シャッタでもよいし，液晶シャッタでもよい）62および対物レンズ61が設けられている。また，光学ビュー・ファインダ60には，液晶表示装置65も設けられている。液晶表示装置65には，ビデオ・エンコーダ44から出力される様々な情報等を表すデータが入力し，様々な情報等が表示される。
【００３０】
上述した切換レバー19により電子ビュー・ファインダの機能が設定されると，ビュー・ファインダ・シャッタ62が徐々に閉じられる。ビュー・ファインダ・シャッタ62が閉じられているときには，対物窓３を介した光学的な被写体像を表わす光線束は遮光されるので，光学的な被写体像をユーザは接眼窓11から見ることができない。ビュー・ファインダ・シャッタ62が閉じられていると，液晶表示装置65に撮像により得られた画像データが入力する。すると，液晶表示装置62の表示画面に撮像により得られた被写体像が表示される。ユーザは，液晶表示装置62の表示画面に表示された被写体像を接眼窓11から見ることとなる。
【００３１】
切換レバー19により光学ビュー・ファインダの機能が設定されると，閉じられていたビュー・ファインダ・シャッタ62が徐々に開く。対物レンズ61および接眼レンズ66によって結像した被写体ＯＢの被写体像を接眼窓11から見ることができる。光学ビュー・ファインダの機能が設定された場合には，液晶表示装置65には，撮像によって得られた被写体像を表わす画像データは与えられずに，後述するように視野枠などの情報を表わすデータが与えられる。液晶表示装置65の表示画面には視野枠などの情報が表示されるので，それらの情報を表わす光線束がハーフミラー64によって反射する液晶表示装置65の表示画面に表示されている視野枠などの情報が重ねられている光学的な被写体像をユーザが見ることとなる。
【００３２】
とくに，この実施例では，ビュー・ファインダ・シャッタ62の開閉に同期して（開閉速度と同じ速度で）表示画面に被写体像が徐々に表示されたり，徐々に消去されたりするように液晶表示装置65が制御される。光学ビュー・ファインダの機能と電子ビュー・ファインダの機能との切り換えに応じて液晶表示装置65の表示画面に被写体像が急に表示されたり，急に消去されたりすることが無いので，接眼窓11内部が急に明るくなったり，急に暗くなったりすることが無い。光学ビュー・ファインダの機能と電子ビュー・ファインダの機能との切り換え時にユーザが違和感を覚えることがない。
【００３３】
接眼窓11の近傍には，アイ・センサ67が取り付けられている。ユーザの目が接眼窓11に近づいたことがアイ・センサ67によって検出される。すると，ビュー・ファインダ・シャッタ62が開かれ，被写体ＯＢの光学像を接眼窓11から見ることができる。アイ・センサ67によってユーザの目が接眼窓11に近づいたことが検出されていないとビュー・ファインダ・シャッタ62は閉じられる。被写体像が液晶表示装置11に表示され，液晶表示装置11に表示されている被写体像を見ながら，カメラ・アングルを決定することとなる。アイ・センサ67によってユーザの目が接眼窓11に近づいたことが検出されている場合であってもビュー・ファインダ・シャッタ62をオフにし，電子ビュー・ファインダ65に被写体像を表わす画像データを入力し，接眼窓11から電子ビュー・ファインダ65に表示される被写体像を見ることもできる。
【００３４】
さらに，ディジタル・カメラ１には，顔検出回路48，動体検出回路49，手振れ検出回路55なども含まれている。手振れ検出回路55は，ディジタル・カメラ１が手振れの状態にあるかどうかを検出する回路である。
【００３５】
シャッタ・レリーズ・ボタン８が押されると，上述のようにして画像信号処理回路42から出力された画像データはメモリ50に一時的に記憶される。画像データはメモリ50から読み出され，圧縮処理回路47に入力する。圧縮処理回路47において所定の圧縮処理が行われる。圧縮された画像データはメモリ50に与えられ，一時的に記憶される。圧縮された画像データはメモリ50から読み出され，メモリ・カード・コントローラ51によってメモリ・カード52に記録される。
【００３６】
再生モードが設定されると，メモリ・カード52に記録されている画像データが読み出され，読み出された画像データによって表わされる画像が液晶表示装置11の表示画面に表示される。
【００３７】
さらに，メモリ50には，液晶表示装置65に表示する情報を表わす画像データ，様々な情報を表わすデータも格納されている。これらのデータが読み出され，ビデオ・エンコーダ44を介して電子ビュー・ファインダ65に与えられることにより，様々な情報が電子ビュー・ファインダ65の表示画面に表示される。
【００３８】
図５の上図は，光学的な被写体像85の一例である。
【００３９】
上述したように，ユーザの目が接眼窓11に近づいており，切換レバー19により光学ビュー・ファインダの機能が設定され，ビュー・ファインダ・シャッタ62が開いていると，ユーザは，対物レンズ61および接眼レンズ66によって結像された光学的な被写体像85を見る。
【００４０】
図５の下図は，液晶表示装置65に表示される画像88の一例である。
【００４１】
ユーザの目が接眼窓11の近傍にあるとアイ・センサ67によって検知されており，光学ビュー・ファインダの機能が設定されていると，液晶表示装置65の表示画面に，図５の下図に示す画像88が表示される。
【００４２】
画像88には，撮影範囲を示す視野枠90が形成されている。この視野枠90の右上には，撮影可能枚数を示す数字92および画像サイズを示す符号93が表示されている。また，視野枠90の中央にはＡＦターゲット・マーク94が表示されている。視野枠90の左下には露出補正のバー95も表示されている。さらに，視野枠90の下には被写界深度表示のバー96，露出モードの符号97，シャッタ速度98，絞り値99およびＩＳＯ感度100も表示されている。
【００４３】
図６は，光学ビュー・ファインダの機能が設定されている場合にユーザが見る画像の一例である。この画像は，図５の上図に示す光学像85上に図５の下図に示す電子ビュー・ファインダ65に表示される画像が重ねられたものである。
【００４４】
液晶表示装置65に表示された視野枠90等の情報を表わす光線束は，ハーフミラー64によって接眼窓11を覗いているユーザの目に届くから，光学ビュー・ファインダの機能が設定されていると，図６に示すように被写体像を表わす光学像85上に電子ビュー・ファインダ65に表示されている視野枠90等の情報が重ねられた画像をユーザは見ることとなる。
【００４５】
図７は，電子ビュー・ファインダの機能が設定されている場合にユーザが見る画像120の一例である。
【００４６】
電子ビュー・ファインダの機能が設定されると，ビュー・ファインダ・シャッタ62は閉じられ，図７に示す画像120が液晶表示装置65の表示画面に表示される。この画像120は，上述したように固体電子撮像素子34によって撮像されたものである。ビュー・ファインダ・シャッタ62が閉じられていると，液晶表示装置65の表示画面に表示されている画像を，接眼窓11を覗いているユーザが見ることとなる。
【００４７】
液晶表示装置65の表示画面に表示される画像120は，図６に示したように視野枠90内の画像に対応している。この画像120の右上には，撮影可能枚数を示す数字102および画像サイズを示す符号103が表示されている。また，画像120の中央にはＡＦターゲット・マーク104が表示されている。画像120の左下には露出補正のバー105も表示されている。露出補正のバー105の右側には，画像120のヒストグラム101も表示されている。さらに，画像120の下には被写界深度表示のバー106，露出モードの符号107，シャッタ速度108，絞り値109およびＩＳＯ感度110も表示されている。
【００４８】
図８は，切換レバー19によってファインダ装置60が光学ビュー・ファインダの機能から電子ビュー・ファインダの機能に切り換えられる時のタイム・チャートである。
【００４９】
時刻ｔ１までは光学ビュー・ファインダの機能が設定されており，時刻ｔ１において切換レバー19が操作され，光学ビュー・ファインダの機能から電子ビュー・ファインダ62の機能に切り換えられるものとする。時刻ｔ１までは，ビュー・ファインダ・シャッタ62は開放されており，電子ビュー・ファインダの機能はオフにされている。液晶表示装置65には被写体像を表わす画像データは与えられておらず，視野枠90などの所定のデータが与えられている。したがって，ユーザは，図６に示すように光学的な被写体像85に視野枠90などの情報が重畳された画像88を見ることとなる。
【００５０】
時刻ｔ１となり，切換レバー19によって光学ビュー・ファインダの機能から電子ビュー・ファインダの機能に切り換えられると，ビュー・ファインダ・シャッタ62が下から上に徐々に閉じられていく。時刻ｔ２となると，ビュー・ファインダ・シャッタ62はほぼ半分閉じることとなる。
【００５１】
図９は，時刻ｔ２においてビュー・ファインダ・シャッタ62が半分閉じた様子を示している。
【００５２】
ビュー・ファインダ・シャッタ62が下から上に閉じられると，液晶表示装置65の表示画面に被写体像が表示されなければ対物窓３から被写体が見えなくなるので，ユーザは閉じていくシャッタ62とシャッタ62が閉じていない光学的な被写体像85とを見ることとなる（但し，この実施例では，閉じているシャッタ62の部分には，液晶表示装置65に表示されている被写体像が見えることとなる）。
【００５３】
図８を参照して，時刻ｔ１において切換レバー19により光学ビュー・ファインダの機能から電子ビュー・ファインダの機能に切り換えられると，オフであった電子ビュー・ファインダの機能が徐々にオンとなる。すると，液晶表示装置65の表示画面の下から上に向かって固体電子撮像素子34によって撮像された被写体像が徐々に表示される。
【００５４】
図10は，時刻ｔ２における液晶表示装置65の表示画面の様子を示している。
【００５５】
上述のように液晶表示装置65の表示画面の下から上に向かって被写体像が徐々に表示されると，時刻ｔ２においては，下半分の領域120Ｂに被写体像が表示され，上半分の領域120Ａには被写体像は表示されなくなる（上半分の領域120Ａには被写体像以外の視野枠90などの情報が表示されるが，図10では分りやすくするために省略されている）。時間が経過するにつれて，液晶表示装置65の表示画面に表示される被写体像の割合が大きくなる。液晶表示装置65の表示画面の下から上に向かって表示される割合が大きくなる被写体像の表示速度は，図９に示すようにビュー・ファインダ・シャッタ62が閉じる速度と同じである（もっとも必ずしも同じ速度でなくともよいし，シャッタ62の閉じる速度に追随すればよい）。接眼窓11から見えるものは，光学的に結像された被写体像85から撮像によって得られた被写体像120に徐々に切り替わる。
【００５６】
図11は，光学ビュー・ファインダの機能から電子ビュー・ファインダの機能に切り換るときに接眼窓11から覗いているユーザが見る画像の一例である。
【００５７】
時刻ｔ２においては，上述したように，ビュー・ファインダ・シャッタ62が対物窓３の下半分の領域を遮光し（図９参照），その領域に対応する液晶表示装置65の表示画面に被写体像120が表示される（図10参照）ので，ユーザは，下半分は液晶表示装置65に表示されている画像120を見ることとなり，上半分は対物窓３を介して見える光学的な被写体像を見ることとなる。上半分と下半分との境界にはシャッタ62が見えている。
【００５８】
ビュー・ファインダ・シャッタ62が徐々に上に上がり，ビュー・ファインダ・シャッタ62による遮光範囲が大きくなるとともに，そのビュー・ファインダ・シャッタ62の閉じる方向に追随するように，液晶表示装置65の表示画面に表示される被写体像120の範囲も広くなる。接眼窓11から見える画像は，ビュー・ファインダ・シャッタ62が閉じるとともにビュー・ファインダ・シャッタ62が閉じるのに追随して徐々に光学的な被写体像から撮像された被写体像に切り換っていく。
【００５９】
光学ビュー・ファインダの機能から電子ビュー・ファインダの機能に切り換るときにビュー・ファインダ・シャッタ62が一瞬で閉じ，その後液晶表示装置65の表示画面に撮像によって得られた被写体像が表示されると，ユーザは，閉じられたビュー・ファインダ・シャッタ62を見ることとなり，一瞬，暗転した状態を見てしまうこととなる。この実施例では，ビュー・ファインダ・シャッタ62が閉じられるのに追随して液晶表示装置65の表示画面に撮像により得られた被写体像が徐々に表示されるので，ユーザは，ビュー・ファインダ・シャッタ62が閉じられることにより生じる暗転した状態を見ないようになる。
【００６０】
図８に戻って，時刻ｔ３となると，ビュー・ファインダ・シャッタ62は完全に閉じられ，電子ビュー・ファインダの機能が完全にオンとなる。接眼窓11から覗いているユーザは，図７に示すように，液晶表示装置65に表示されている被写体像120を見ることとなる。
【００６１】
図12は，切換レバー19によって電子ビュー・ファインダの機能から光学ビュー・ファインダ機能に切り換えられる時のタイム・チャートである。
【００６２】
時刻t11までは電子ビュー・ファインダの機能が設定されており，時刻ｔ11において切換レバー19が操作され，電子ビュー・ファインダの機能から光学ビュー・ファインダの機能に切り換えられたものとする。時刻ｔ11までは，ビュー・ファインダ・シャッタ62は閉じられており，電子ビュー・ファインダの機能がオンとされている。液晶表示装置65には被写体像を表わす画像データが与えられており，接眼窓11を覗いているユーザは，液晶表示装置65の表示画面に表示されている被写体像120を見ることとなる。
【００６３】
時刻ｔ12となり，切換レバー19によって電子ビュー・ファインダの機能から光学ビュー・ファインダ機能に切り換えられると，ビュー・ファインダ・シャッタ62が上から下に徐々に開いていく。時刻ｔ12となるとビュー・ファインダ・シャッタ62はほぼ半分閉じることとなる。
【００６４】
ビュー・ファインダ・シャッタ62が上から下に徐々に開いていくことにより，対物窓３から見える被写体が徐々に大きくなる。また，ビュー・ファインダ・シャッタ62が上から下に徐々に開いていくことに追随して，液晶表示装置65に表示されている被写体像120も上から下に徐々に消去されていく。接眼窓11を除いているユーザは，液晶表示装置65に表示されている被写体像120から徐々に対物窓３から見える光学的な被写体像を見るようになる。
【００６５】
時刻ｔ13となり，ビュー・ファインダ・シャッタ62が完全に開くと，液晶表示装置65には被写体像を表わす画像データは与えられなくなり，接眼窓11から覗いているユーザは，図６に示すように，光学的な被写体像85を見ることとなる。
【００６６】
電子ビュー・ファインダの機能から光学ビュー・ファインダの機能に切り換る場合には，ビュー・ファインダ・シャッタ62が上から下に徐々に下がり，そのビュー・ファインダ・シャッタ62の開く方向に追随するように，液晶表示装置65の表示画面に表示されている被写体像120が上から下に徐々に消去されていく（シャッタ62が開く速度と同じ速度でもよいし，シャッタ62に追随すれば異なる速度でもよい。）。接眼窓11から見える画像は，ビュー・ファインダ・シャッタ62が開くとともにビュー・ファインダ・シャッタが開くのに追随して徐々に撮像された被写体像から光学的な被写体像に切り換っていく。
【００６７】
電子ビュー・ファインダの機能から光学ビュー・ファインダの機能に切り換るときにビュー・ファインダ・シャッタ62が一瞬で開いてしまうと，ユーザは，対物窓３を介して得られる光学的な被写体像と，液晶表示装置65に表示されている被写体像とが重畳された画像を，接眼窓11を介してユーザが見ることとなり，非常に明るい被写体像を見てしまうこととなる。この実施例では，ビュー・ファインダ・シャッタ62が開かれるのに追随して液晶表示装置65の表示画面に表示されている被写体像が徐々に消去されるので，光学的な被写体像と液晶表示装置65の表示画面に表示されている被写体像とが重畳した画像を見ないようになる。
【００６８】
図12に戻って，時刻ｔ13となると，ビュー・ファインダ・シャッタ62は完全に開き，電子ビュー・ファインダの機能が完全に62となる。接眼窓11から覗いているユーザは，図６に示すように，対物窓３を介して得られる光学的な被写体像85を見ることとなる。
【００６９】
図13は，電子ビュー・ファインダの機能と光学ビュー・ファインダの機能との切換時の処理手順を示すフローチャートである。
【００７０】
光学ビュー・ファインダ（ＯＶＦ）の機能から電子ビュー・ファインダ（ＥＶＦ）の機能に切り換えられると（ステップ131でＹＥＳ），開放されていたビュー・ファインダ・シャッタ62が徐々に閉じられるとともに電子ビュー・ファインダが徐々にオンされ始める（ステップ132）。上述のように，ビュー・ファインダ・シャッタ62が徐々に閉じられるのに追随して，液晶表示装置65の表示画面に被写体像が徐々に表示されるようになる。
【００７１】
電子ビュー・ファインダの機能から光学ビュー・ファインダの機能に切り換えられると（ステップ133でＹＥＳ），閉じられていたビュー・ファインダ・シャッタ62が徐々に開かれるとともに電子ビュー・ファインダが徐々にオフされ始める（ステップ134）。上述のように，ビュー・ファインダ・シャッタ62が徐々に開かれるのに追随して，液晶表示装置65の表示画面に表示されていた被写体像が徐々に消去されるようになる。
【００７２】
上述の実施例において，図11に示すように，光学ビュー・ファインダの機能と電子ビュー・ファインダの機能との切換時に，液晶表示装置65の表示画面に表示される被写体像と光学的な被写体像との境界にビュー・ファインダ・シャッタ62が見えているが，ビュー・ファインダ・シャッタ62が見えないようにビュー・ファインダ・シャッタ62の開閉に追随して（完全に同期して）液晶表示装置65の表示画面に被写体像を表示する，あるいは液晶表示装置65の表示画面に表示されている被写体像を消去するようにしてもよい。
【００７３】
また，上記の実施例においては，ビュー・ファインダ・シャッタ62はビュー・ファインダ・シャッタ62が下から上に移動することにより閉じられているが上から下，左から右または右から左に移動することにより閉じられるようにしてもよい。同様に，ビュー・ファインダ・シャッタが下から上，右から左または左から右に移動することにより開かれるようにしてもよい。
【００７４】
さらに，上述の実施例においては，光学ビュー・ファインダの機能が設定されたときには図５の下図に示すように，視野枠90などの情報が表示され，これらの情報が光学的なビュー・ファインダに重ねられているが，光学ビュー・ファインダの機能が設定された場合には液晶表示装置65には何も表示しないようにしてもよい。ユーザは対物窓３から見える光学的な被写体像のみを見ることとなる。そのような場合には，液晶表示装置65に被写体像を表示しておき，光学的ビュー・ファインダの機能が設定された場合にはビュー・ファインダ・シャッタ62が開かれることに追随して，液晶表示装置65のバックライトを徐々にオフし，電子ビュー・ファインダの機能が設定された場合にはビュー・ファインダ・シャッタ62が閉じられることに追随して，液晶表示装置65のバックライトを徐々にオンすればよい。
【００７５】
上述の実施例において，光学ビュー・ファインダの機能から電子ビュー・ファインダの機能に切り替わる場合にビュー・ファインダ・シャッタ62が下から上に徐々に上がり，そのビュー・ファインダ・シャッタ62の閉じる方向に追随するように液晶表示装置65の表示画面に被写体像120が徐々に表示されていくが，バックライトを徐々に点灯できる場合には，そのシャッタが閉じることに追随して液晶表示装置65のバックライトが下から上に徐々に点灯されることが好ましい。同様に，電子ビュー・ファインダの機能から光学ビュー・ファインダの機能に切り替わる場合にビュー・ファインダ・シャッタ62が上から下に徐々に下がり，そのビュー・ファインダ・シャッタ62の開く方向に追随するように液晶表示装置65の表示画面に表示されている被写体像120が上から下に徐々に消去されていくが，バックライトを徐々に消灯できる場合には，そのシャッタ62が開くことに追随して液晶表示装置65のバックライトも上から下に徐々に消去されることが好ましい。ビュー・ファインダ・シャッタ62の開閉に追随して液晶表示装置65のバックライトの消灯，点灯が行われるので，見栄えも良くなる。上記の例では，バックライトを徐々に点灯，消灯しているが，ビュー・ファインダ・シャッタ62が開いたことに追随してバックライトを点灯させて被写体像全体を一度に明るくしたり，ビュー・ファインダ・シャッタ62が閉じたことに追随してバックライトを消灯させて被写体像全体を一度に暗くしたりしてもよい。
【符号の説明】
【００７６】
１  ディジタル・カメラ
３  対物窓
11  接眼窓
20  ＣＰＵ（表示制御手段）
34  固体電子撮像素子
60  ファインダ装置
62  ビュー・ファインダ・シャッタ
63  プリズム（偏向装置）
65  液晶表示装置（表示装置）
【図１】
2014002657.tif 000003
【図２】
2014002657.tif 000004
【図３】
2014002657.tif 000005
【図４】
2014002657.tif 000006
【図５】
2014002657.tif 000007
【図６】
2014002657.tif 000008
【図７】
2014002657.tif 000009
【図８】
2014002657.tif 000010
【図９】
2014002657.tif 000011
【図１０】
2014002657.tif 000012
【図１１】
2014002657.tif 000013
【図１２】
2014002657.tif 000014
【図１３】
2014002657.tif 000015
【国際調査報告】
2014002657.tif 000016
2014002657.tif 000017